【手続補正書】
【提出日】平成23年7月27日(2011.7.27)
【手続補正１】
【補正対象書類名】特許請求の範囲
【補正対象項目名】全文
【補正方法】変更
【補正の内容】
【特許請求の範囲】
【請求項１】
入力された画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
を備え、
前記出力信号作成部は、
前記処理信号および前記画像信号に応じて、ゲイン信号を出力する視覚処理部と、
前記画像信号の空間周波数帯域を制限した帯域制限信号と前記画像信号とに基づいて、前記画像信号のコントラストを強調した強調信号を出力するコントラスト強調部と、
前記ゲイン信号に基づいて前記強調信号を補正し出力信号として出力する補正部と、
を有し、
前記ゲイン信号の空間周波数の帯域は、前記画像信号の空間周波数の帯域よりも狭く、且つ、前記処理信号の空間周波数の帯域よりも広いことを特徴とする、
視覚処理装置。
【請求項２】
前記コントラスト強調部は、
前記帯域制限信号と前記画像信号との比に基づいて前記強調信号を出力することを特徴とする、
請求項１に記載の視覚処理装置。
【請求項３】
前記コントラスト強調部は、
前記帯域制限信号と前記画像信号との差に基づいて前記強調信号を出力することを特徴とする、
請求項１に記載の視覚処理装置。
【請求項４】
入力された画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
前記出力信号を表示する表示部と、
を備え、
前記出力信号作成部は、
前記処理信号および前記画像信号に応じて、ゲイン信号を出力する視覚処理部と、
前記画像信号の空間周波数帯域を制限した帯域制限信号と前記画像信号とに基づいて、前記画像信号のコントラストを強調した強調信号を出力するコントラスト強調部と、
前記ゲイン信号に基づいて前記強調信号を補正し出力信号として出力する補正部と、
を有し、
前記ゲイン信号の空間周波数の帯域は、前記画像信号の空間周波数の帯域よりも狭く、且つ、前記処理信号の空間周波数の帯域よりも広いことを特徴とする、
画像表示装置。
【請求項５】
映像信号を受信する受信部と、
前記映像信号を復号し画像信号を出力する復号部と、
前記画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
前記出力信号を表示する表示部と、
を備え、
前記出力信号作成部は、
前記処理信号および前記画像信号に応じて、ゲイン信号を出力する視覚処理部と、
前記画像信号の空間周波数帯域を制限した帯域制限信号と前記画像信号とに基づいて、前記画像信号のコントラストを強調した強調信号を出力するコントラスト強調部と、
前記ゲイン信号に基づいて前記強調信号を補正し出力信号として出力する補正部と、
を有し、
前記ゲイン信号の空間周波数の帯域は、前記画像信号の空間周波数の帯域よりも狭く、且つ、前記処理信号の空間周波数の帯域よりも広いことを特徴とする、
テレビジョン。
【請求項６】
映像信号を受信する受信部と、
前記映像信号を復号し画像信号を出力する復号部と、
前記画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
前記出力信号を表示する表示部と、
を備え、
前記出力信号作成部は、
前記処理信号および前記画像信号に応じて、ゲイン信号を出力する視覚処理部と、
前記画像信号の空間周波数帯域を制限した帯域制限信号と前記画像信号とに基づいて
前記画像信号のコントラストを強調した強調信号を出力するコントラスト強調部と、
前記ゲイン信号に基づいて前記強調信号を補正し出力信号として出力する補正部と、
を有し、
前記ゲイン信号の空間周波数の帯域は、前記画像信号の空間周波数の帯域よりも狭く、且つ、前記処理信号の空間周波数の帯域よりも広いことを特徴とする、
携帯情報端末。
【請求項７】
画像を撮影して画像信号を作成する撮影部と、
前記画像信号に対して、対象画素の周囲の画素を用いた所定の空間処理を行い、処理信号を出力する空間処理部と、
前記処理信号と前記画像信号とを入力とし、
前記画像信号の値を所定のレベルに固定した場合に、前記処理信号の値に対して単調減少特性となる出力信号を出力する出力信号作成部と、
前記出力信号を表示する表示部と、
を備え、
前記出力信号作成部は、
前記処理信号および前記画像信号に応じて、ゲイン信号を出力する視覚処理部と、
前記画像信号の空間周波数帯域を制限した帯域制限信号と前記画像信号とに基づいて、前記画像信号のコントラストを強調した強調信号を出力するコントラスト強調部と、
前記ゲイン信号に基づいて前記強調信号を補正し出力信号として出力する補正部と、
を有し、
前記ゲイン信号の空間周波数の帯域は、前記画像信号の空間周波数の帯域よりも狭く、且つ、前記処理信号の空間周波数の帯域よりも広いことを特徴とする、
カメラ。
【請求項８】
入力された画像信号に対して、対象画素の周囲の画素を用いた所定の空間処理を行い、処理信号を出力する空間処理ステップと、
前記処理信号と前記画像信号とを入力とし、
前記画像信号の値を所定のレベルに固定した場合に、前記処理信号の値に対して単調減少特性となる出力信号を出力する出力信号作成ステップと、
を含み、
前記出力信号作成ステップは、
前記処理信号および前記画像信号に応じて、ゲイン信号を出力する視覚処理ステップと、
前記画像信号の空間周波数帯域を制限した帯域制限信号と前記画像信号とに基づいて、前記画像信号のコントラストを強調した強調信号を出力するコントラスト強調ステップと、
前記ゲイン信号に基づいて前記強調信号を補正し出力信号として出力する補正ステップと、
を有し、
前記ゲイン信号の空間周波数の帯域は、前記画像信号の空間周波数の帯域よりも狭く、且つ、前記処理信号の空間周波数の帯域よりも広いことを特徴とする、
視覚処理方法。
【請求項９】
画像出力装置に用いられる集積回路であって、
入力された画像信号に対して、対象画素の周囲の画素を用いた所定の空間処理を行い、処理信号を出力する空間処理ステップと、
前記処理信号と前記画像信号とを入力とし、
前記画像信号の値を所定のレベルに固定した場合に、前記処理信号の値に対して単調減少特性となる出力信号を出力する出力信号作成ステップと、
を実行し、
前記出力信号作成ステップは、
前記処理信号および前記画像信号に応じて、ゲイン信号を出力する視覚処理ステップと、
前記画像信号の空間周波数帯域を制限した帯域制限信号と前記画像信号とに基づいて、前記画像信号のコントラストを強調した強調信号を出力するコントラスト強調ステップと、
前記ゲイン信号に基づいて前記強調信号を補正し出力信号として出力する補正ステップと、
を有し、
前記ゲイン信号の空間周波数の帯域は、前記画像信号の空間周波数の帯域よりも狭く、且つ、前記処理信号の空間周波数の帯域よりも広いことを特徴とする、
画像出力装置に用いられる集積回路。
【請求項１０】
コンピュータにより視覚処理を行う画像処理プログラムであって、
入力された画像信号に対して、対象画素の周囲の画素を用いた所定の空間処理を行い、処理信号を出力する空間処理ステップと、
前記処理信号と前記画像信号とを入力とし、
前記画像信号の値を所定のレベルに固定した場合に、前記処理信号の値に対して単調減少特性となる出力信号を出力する出力信号作成ステップと、
を含む視覚処理方法をコンピュータに行わせるものであり、
前記出力信号作成ステップは、
前記処理信号および前記画像信号に応じて、ゲイン信号を出力する視覚処理ステップと、
前記画像信号の空間周波数帯域を制限した帯域制限信号と前記画像信号とに基づいて、前記画像信号のコントラストを強調した強調信号を出力するコントラスト強調ステップと、
前記ゲイン信号に基づいて前記強調信号を補正し出力信号として出力する補正ステップと、
を有し、
前記ゲイン信号の空間周波数の帯域は、前記画像信号の空間周波数の帯域よりも狭く、且つ、前記処理信号の空間周波数の帯域よりも広いことを特徴とする、
画像処理プログラム。